(57)【要約】【課題】肌ざわりを柔らかく保ちながら、しかも泡立ちの良い体洗いタオルを提供する。【解決手段】織物、編物からなる体洗いタオル６において、たて（経）糸が合成繊維のストレート糸１からなり、よこ（緯）糸が太目の合成繊維の紡績糸２ａ、２ｂと細目の合成繊維のクリンプ糸３ａ、３ｂ及びバルキー糸４ａ、４ｂからなり、前記紡績糸２ａ、２ｂを所定の間隔を開けて設け、この紡績糸２ａ、２ｂ間に前記クリンプ糸３ａ、３ｂ及びバルキー糸４ａ、４ｂを設けたことを特徴とする。【選択図】  図１
2004160080.tif 000002
【特許請求の範囲】
【請求項１】
織物、編物からなる体洗いタオルにおいて、たて（経）糸が合成繊維のストレート糸からなり、よこ（緯）糸が太目の合成繊維の紡績糸と細目の合成繊維のクリンプ糸及びバルキー糸からなり、前記紡績糸を所定の間隔を開けて設け、この紡績糸間に前記クリンプ糸及びバルキー糸を設けたことを特徴とする体洗いタオル。
【請求項２】
前記よこ（緯）糸を構成する前記紡績糸間に複数本の前記クリンプ糸及びバルキー糸を設けたことを特徴とする請求項１に記載の体洗いタオル。
【請求項３】
前記よこ（緯）糸を構成する前記紡績糸間にクリンプ糸、バルキー糸、クリンプ糸及ぶバルキー糸の順序で設けたことを特徴とする請求項１又は２に記載の体洗いタオル。
【請求項４】
前記よこ（緯）糸を構成する前記紡績糸間にバルキー糸、クリンプ糸、バルキー糸、クリンプ糸の順序で設けたことを特徴とする請求項１又は２に記載の体洗いタオル。
【請求項５】
前記たて（経）糸を構成する合成繊維のストレート糸を長繊維モノフィラメントナイロンストレート糸から形成したことを特徴とする請求項１、２、３又は４に記載の体洗いタオル。
【請求項６】
前記よこ（緯）糸を構成する太目の合成繊維の紡績糸を太番手アクリル短繊維紡績糸から形成したことを特徴とする請求項１、２、３、４又は５に記載の体洗いタオル。
【請求項７】
前記よこ（緯）糸を構成する合成繊維のクリンプ糸を長繊維マルチフィラメントナイロンクリンプ糸から形成したことを特徴とする請求項１、２、３、４、５又は６に記載の体洗いタオル。
【請求項８】
前記よこ（緯）糸を構成する合成繊維のバルキー糸を長繊維マルチフィラメントポリエステルバルキー糸から形成したことを特徴とする請求項１、２、３、４、５、６又は７に記載の体洗いタオル。
【発明の詳細な説明】
【０００１】
【発明の属する技術分野】
本発明は、体洗いに用いるタオルの構造に関し、更に詳しくは肌ざわりを柔らかく保ちながら、しかも泡立ちの良い体洗いタオルに関する。
【０００２】
【従来の技術】
従来の体洗いタオルには、綿、麻、絹等の天然繊維を素材としたタオルや、ナイロン、ポリエステル等の合成繊維を素材としたタオル、または天然繊維と合成繊維の両方を組み合わせたタオルなどがある。
【０００３】
図３に示されるのは、従来、体洗いタオルとして、広く用いられている合成繊維を素材とするタオル１０の織物組織構造又は編物組織構造の拡大図である。たて（経）糸には、長繊維モノフィラメントナイロンストレート糸１１が用いられ、よこ（緯）糸には、長繊維マルチフィラメントナイロンクリンプ糸１２が用いられている。
【０００４】
【発明が解決しようとする課題】
従来の体洗いタオルには、以下に述べるような課題が存した。
先ず、綿、麻、絹等の天然繊維を素材としたタオルは、肌ざわりは柔らかいが、タオルを構成する糸それ自体の吸水性が良好であるため、石鹸、ボディソープ等の泡も同時に吸収してしまい、泡立ちが極度に悪い課題が存した。
【０００５】
次に、ナイロン、ポリエステル等の合成繊維を素材としたタオルは、図３に示されるように、よこ（緯）糸１２をクリンプ（ウエーブ）させることによって、泡立ちが良くなるようにしているが、このクリンプ糸１２が、肌に直接触れ、相当な刺激を与えるため、肌に対する刺激に敏感な人、例えば、幼児、高齢者、女性、皮膚疾患等を有する人等には使いずらい課題が存した。
【０００６】
更に、天然繊維と合成繊維の両方を組み合わせたタオルは、これは、単なる素材の組み合わせに過ぎず、泡立ちにおいては、上記の天然繊維製と同じく糸それ自身が泡を吸い取ってしまうことにより極度に泡立ちが悪い課題が存した。
と同時に、肌ざわりにおいては、上記の合成繊維製に近く、このクリンプ糸が肌に相当な刺激を与えるため、肌に対する刺激に敏感な人、例えば、幼児、高齢者、女性、皮膚疾患等を有する人等には使いずらい課題が存した。
【０００７】
このため、肌ざわりを柔らかく保ちながら、かつ泡立ちが良く、特に幼児、高齢者、女性、皮膚疾患等を有する人等に好適な体洗いタオルの開発が強く望まれていた。
【０００８】
本発明の目的は、かかる従来の課題を解決するためになされたもので、肌ざわりを柔らかく保ちながら、しかも泡立ちの良い体洗いタオルを提供することにある。
【０００９】
【課題を解決するための手段】
この発明は体洗いタオルに関し、織物、編物からなる体洗いタオルにおいて、たて（経）糸が合成繊維のストレート糸からなり、よこ（緯）糸が太目の合成繊維の紡績糸と細目の合成繊維のクリンプ糸及びバルキー糸からなり、前記紡績糸を所定の間隔を開けて設け、この紡績糸間に前記クリンプ糸及びバルキー糸を設けたことを特徴とする。
【００１０】
また、この発明の体洗いタオルは、前記よこ（緯）糸を構成する前記紡績糸間に複数本の前記クリンプ糸及びバルキー糸を設けたことを特徴とする。
【００１１】
また、この発明の体洗いタオルは、前記よこ（緯）糸を構成する前記紡績糸間にクリンプ糸、バルキー糸、クリンプ糸及ぶバルキー糸の順序で設けたことを特徴とする。
【００１２】
また、この発明の体洗いタオルは、前記よこ（緯）糸を構成する前記紡績糸間にバルキー糸、クリンプ糸、バルキー糸、クリンプ糸の順序で設けたことを特徴とする。
【００１３】
また、この発明の体洗いタオルは、前記たて（経）糸を構成する合成繊維のストレート糸を長繊維モノフィラメントナイロンストレート糸から形成したことを特徴とする。
【００１４】
また、この発明の体洗いタオルは、前記よこ（緯）糸を構成する太目の合成繊維の紡績糸を太番手アクリル短繊維紡績糸から形成したことを特徴とする。
【００１５】
また、この発明の体洗いタオルは、前記よこ（緯）糸を構成する合成繊維のクリンプ糸を長繊維マルチフィラメントナイロンクリンプ糸から形成したことを特徴とする。
【００１６】
更に、この発明の体洗いタオルは、前記よこ（緯）糸を構成する合成繊維のバルキー糸を長繊維マルチフィラメントポリエステルバルキー糸から形成したことを特徴とする。
この発明の体洗いタオルは、上記のように構成されていることより、肌ざわりを柔らかく保ちながら、しかも泡立ちの良い体洗いタオルが得られる。
【００１７】
【発明の実施の形態】
以下、この発明に係る体洗いタオルを図に示される実施形態について、更に詳細に説明する。図１及び図２には、この発明の一実施形態に係る体洗いタオル６の織物地の拡大された糸の構成、すなわち、たて（経）糸とよこ（緯）糸の組織構成が示されている。また、編物地においても、織物地と同様の組織構成をとることができる。
【００１８】
この発明による体洗いタオル６は、たて（経）糸に、ストレート糸１が用いられている。このたて（経）糸に用いられているストレート糸１は、長繊維モノフィラメントナイロンストレート糸から形成されることが望ましい。すなわち、たて（経）糸であるストレート糸１は、撚ってない１本の細いナイロン糸から構成されている。
【００１９】
上記のたて（経）糸であるストレート糸１が、このように構成されていることにより、体洗いタオル６は、その全体の厚みを薄くでき、丈夫で体洗いに適した薄地のタオル６が得られる。
【００２０】
一方、よこ（緯）糸は、太番手アクリル短繊維紡績糸２ａ、２ｂ間に、長繊維マルチフィラメントナイロンクリンプ糸３ａ、長繊維マルチフィラメントポリエステルバルキー糸４ａ、長繊維マルチフィラメントナイロンクリンプ糸３ｂ、長繊維マルチフィラメントポリエステルバルキー糸４ｂが順次配されている。
【００２１】
前記のように、よこ（緯）糸は、太目の紡績糸２ａ、２ｂ間に、細目のクリンプ糸３ａ、細目のバルキー糸４ａ、細目のクリンプ糸３ｂ、細目のバルキー糸４ｂというようにクリンプ糸とバルキー糸とが交互に配列されて構成されている。
これらのクリンプ糸及びバルキー糸は、前記とは逆の配列でもよい。すなわち、太目の紡績糸２ａ、２ｂ間に、細目のバルキー糸４ａ、細目のクリンプ糸３ａ、細目のバルキー糸４ｂ、細目のクリンプ糸３ｂの順序で交互に配列されてもよい。
【００２２】
前記よこ（緯）糸を構成する各糸は、次に述べるような特徴を有している。
前記のよこ（緯）糸に用いられている紡績糸２ａ、２ｂは、太番手アクリル短繊維紡績糸からなることが望ましい。すなわち、アクリル短繊維複数本を撚って、太い紡績糸２ａ、２ｂとして形成されている。
【００２３】
このように紡績糸２ａ、２ｂが、太番手アクリル短繊維紡績糸より構成されているため、繊維の末端が表面に出ており、また隙間のあるゆるい構造となっており、太さも均斉でないため、肌ざわりを柔らかく保つことができる。しかも紡績糸自身の中に多量の空気を含んでいるため、泡立ちの良い体洗いタオルが得られる。
【００２４】
前記のよこ（緯）糸に用いられているクリンプ糸３ａ、３ｂは、長繊維マルチフィラメントナイロンクリンプ糸からなることが望ましい。すなわち、ナイロン長繊維２本以上を撚って、クリンプ状に形成されている。
このようにクリンプ糸３ａ、３ｂ全体が、クリンプ、すなわちウエーブしているため、石鹸の泡立ちが一層促進され、泡立ちのよい体洗いタオルが得られる。
【００２５】
前記のよこ（緯）糸に用いられているバルキー糸４ａ、４ｂは、長繊維マルチフィラメントポリエステルバルキー糸からなることが望ましい。すなわち、ポリエステル長繊維２本以上を撚って、バルキー状に形成されている。
このようにバルキー糸４ａ、４ｂ全体がバルキー、すなわち嵩ばっているため、バルキー糸４ａ、４ｂ自体に膨らみがあり、肌ざわりを柔らかく保ちながら、しかも石鹸の泡立ちのよい体洗いタオルが得られる。
【００２６】
以上のような構成を有するこの発明の体洗いタオル６をお湯でぬらし石鹸でこすると、たて（経）糸及びよこ（緯）糸に用いられる各糸それ自身が、吸水性の少ない合成繊維より形成されていること、また紡績糸２ａ、２ｂは、それ自身が泡立ちを良くする太番手の撚り糸であること、さらにクリンプ糸３ａ、３ｂがウェーブされていること、及びバルキー糸４ａ、４ｂが嵩ばって膨らみがあること等により泡立ちが促進される。
【００２７】
特に、太い紡績糸２ａ、２ｂ間には、細いクリンプ糸３ａ、３ｂ及びバルキー糸４ａ、４ｂが配されているため、図２に示されるように、体洗いタオル６の表面には、太い紡績糸２ａ、２ｂが形成する山の部分と細いクリンプ糸３ａ、３ｂ及びバルキー糸４ａ、４ｂが形成する谷の部分の凹凸が多数形成されており、紡績糸２ａ、２ｂ間の谷の部分の凹部分のスペースには泡５の厚い層が形成され、一層泡立ちが良好となり、肌ざわりも柔らかくなる。
【００２８】
更に、この発明によるタオル６で体を洗う場合、肌に触れるのは、主にふんわりと柔らかい性質を持っている紡績糸２ａ、２ｂと、この紡績糸２ａ、２ｂ間に形成される泡５の厚い層であり、肌に刺激を与えやすいクリンプ糸３ａ、３ｂは、細目に形成されているため肌に触れにくい。
【００２９】
しかも、前記クリンプ糸３ａ、３ｂ間には、バルキー糸４ａ、４ｂが配されている。すなわち、クリンプ糸とバルキー糸とは交互に配列されているため、肌への刺激の偏りがなく、刺激は一層少なくなり、しかも、肌ざわりの偏りもなく、適度に柔らかく、泡立ちがよくなる。
従って、この発明によれば、肌ざわりの柔らかさと泡立ちの良さの両方を兼ね備えた体洗いタオル６が得られる。
【００３０】
【発明の効果】
以上説明したように、この発明の体洗いタオルによれば、肌ざわりを柔らかく保ちながら、しかも泡立ちの良い体洗いタオルが得られる。
【図面の簡単な説明】
【図１】この発明の一実施形態に係る体洗いタオルの一部を切り欠いて示す拡大された斜視図である。
【図２】図１のＡ―Ｂ線拡大断面図である。
【図３】従来の体洗いタオルの一部を切り欠いて示す拡大された斜視図である。
【符号の説明】
１  ストレート糸
２ａ、２ｂ  紡績糸
３ａ、３ｂ  クリンプ糸
４ａ、４ｂ  バルキー糸
５  泡
６  体洗いタオル
【図１】
2004160080.tif 000003
【図２】
2004160080.tif 000004
【図３】
2004160080.tif 000005